(57)【特許請求の範囲】
【請求項１】
床面から立ち上がる一対の支柱の間に配設される一又は二以上のフェンス構成部材を備えたフェンスであって、
前記フェンス構成部材が、水平方向に延びる水平部と、前記水平部と前記床面との間で上下方向に延びる垂下部と、分岐点が存在することなく前記水平部と前記垂下部とを一筆書き状に連結する屈曲部とを備えることを特徴とするフェンス。
【請求項２】
前記フェンス構成部材は、水が流通する中空部を備えた筒形状をなし、外周面から前記中空部に貫通する貫通孔が設けられていることを特徴とする請求項１に記載のフェンス。
【請求項３】
前記フェンス構成部材の中空部に錆止め加工が施されていることを特徴とする請求項２に記載のフェンス。
【請求項４】
同一形状に屈曲された前記フェンス構成部材を複数備えることを特徴とする請求項１〜３のいずれか一項に記載のフェンス。
【発明の詳細な説明】
【技術分野】
【０００１】
本発明は、住宅のベランダ、バルコニー、テラス、庭先などに設けられるフェンスに関する。
【背景技術】
【０００２】
住宅に設けられたベランダ、バルコニー、テラス、庭先などのスペースを利用して布団を干す場合、ベランダなどに設けられた格子フェンスや立ち上がり壁に布団を掛けて干すことがある（例えば、下記特許文献１参照）。
【０００３】
図６に示すように、布団Ｆをそのまま格子フェンス１００に掛けると、床面１２０から立ち上がる一対の支柱１０２，１０２の間に配された笠木１０４や、笠木１０４の長手方向に所定間隔をおいた複数箇所から下方に延設された複数の縦部材１０６などのフェンス構成部材１０８に付着した粉塵や花粉などの汚れが布団Ｆに移るおそれがある。
【０００４】
そのため、布団Ｆを掛ける前にフェンス構成部材１０８を雑巾などで拭かなければならないが、格子フェンス１００には、笠木１０４と縦部材１０６との接合部１１０が多数存在するため拭き掃除が煩雑であり、このような接合部１１０に汚れが溜まりやすいという問題がある。
【０００５】
また、立ち上がり壁に布団を掛ける場合、立ち上がり壁の外側については清掃することが非常に困難であり、布団が汚れてもやむを得ないという問題がある。
【特許文献１】特開平９−２３５７７９号公報
【発明の開示】
【発明が解決しようとする課題】
【０００６】
本発明は、上記問題に鑑みてなされたものであり、簡単に清掃することができ布団を掛けた際に汚れが移らないフェンスを提供することを目的とする。
【課題を解決するための手段】
【０００７】
本発明に係るフェンスは、床面から立ち上がる一対の支柱の間に配設される一又は二以上のフェンス構成部材を備えたフェンスであって、前記フェンス構成部材が、水平方向に延びる水平部と、前記水平部と前記床面との間で上下方向に延びる垂下部と、分岐点が存在することなく前記水平部と前記垂下部とを一筆書き状に連結する屈曲部とを備えることを特徴とする。
【０００８】
本発明によれば、フェンス構成部材に分岐点が存在しないため、フェンス構成部材に沿って雑巾などで拭くことができ簡単に清掃することができる。
【０００９】
上記発明において、フェンス構成部材は、水が流通する中空部を備えた筒形状をなし、外周面から前記中空部に貫通する貫通孔が設けられてもよく、かかる場合において、該中空部に錆止め加工が施されていることが好ましい。このようにフェンス構成部材を設けることで、中空部に水を流通させ貫通孔よりフェンス構成部材の外周面に吹き出させることができ、乾いた雑巾で拭くだけで外周面に吹き出した水によりきれいに清掃することができる。
【００１０】
また、上記発明において、同一形状に屈曲された前記フェンス構成部材を複数備えてもよく、これにより、一対の支柱の間隔が異なり必要となるフェンスの長さが異なる場合であっても、フェンス構成部材を共通化することができ、フェンスの生産効率を向上させることができる。
【発明の効果】
【００１１】
本発明によれば、フェンス構成部材に沿って拭き掃除ができ、簡単に清掃することができる。
【発明を実施するための最良の形態】
【００１２】
以下、本発明の一実施形態について図面を参照して説明する。図１は本実施形態に係るフェンス１０の正面図、図２は図１のＡ−Ａ断面図、図３は布団Ｆを掛けた状態を示すフェンス１０の正面図である。
【００１３】
フェンス１０は、例えば、住宅のベランダ、バルコニー、テラス、庭先などに設けられるフェンスであって、床面２０から上方へ立ち上がる一対の支柱１２，１２と、床面２０と一対の支柱１２，１２との間に形成された開口スペース２２に設けられたフェンス構成部材１４とを備える。なお、本実施形態では支柱１２が所定間隔をあけて床面２０から上方へ立ち上がる一対の壁体として説明するが、支柱１２はフェンス構成部材１４の支えとなるものであればその形状は特に限定されず、例えば、柱状体であっても良い。
【００１４】
フェンス構成部材１４は、中空部１６を有する１本の筒状体を屈曲させてなり、一端が一方の支柱１２の上部に接続され、他端が他方の支柱１２の上部に接続されている。
【００１５】
詳細には、フェンス構成部材１４は、床面２０に沿って延びフェンス１０の上部を構成する水平部１４ａと、水平部１４ａと床面２０との間において上下方向に延びる垂下部１４ｂと、を備え、水平部１４ａと垂下部１４ｂとが屈曲部１４ｃにより一筆書き状に連結されフェンス構成部材１４に分岐点が存在することなく一方の支柱１２から他方の支柱１２にわたって形成されている。
【００１６】
すなわち、左側の支柱１２の上部より水平部１４ａが右方に延び、屈曲部１４ｃにより右回りに屈曲して水平部１４ａの下方において左側の支柱１２と所定間隔だけ離れた位置まで左方に延び、水平部１４ａが左右に蛇行する。
【００１７】
次いで、屈曲部１４ｃにより下方に向かって折れ曲がって床面２０と所定間隔だけ離れた位置まで延びる垂下部１４ｂをなし、次いで、屈曲部１４ｃにより左回りに屈曲して水平部１４ａと所定間隔だけ離れた位置まで上方に向かって延び、次いで、屈曲部１４ｃにより右回りに屈曲して床面２０と所定間隔だけ離れた位置まで下方に延び、次いで、屈曲部１４ｃにより左回りに屈曲して水平部１４ａの右方において上方の水平部１４ａと同じ高さまで上方に向かって延び、垂下部１４ｂが上下に蛇行しながら右方へ移動する。
【００１８】
次いで、右回りに屈曲して右方に延びる水平部１４ａとなり、以後、水平部１４ａの蛇行と垂下部１４ｂの蛇行とを繰り返して右側の支柱１２の上部と接続される。
【００１９】
フェンス構成部材１４は、開口スペース２２から人や物などが転落するのを防止することができ、かつ、雑巾などにより拭き掃除する際に使用者の手を入れることができる程度の間隔（例えば、１０ｃｍ）をあけて水平部１４ａ、垂下部１４ｂ、及び屈曲部１４ｃが配されている。
【００２０】
また、図２に示すように、フェンス構成部材１４の外周面１７には中空部１６に貫通する貫通孔１８が多数穿設されており、内周面１９には耐腐食性に優れたアクリル樹脂及びエポキシ樹脂などの樹脂材料や錆止め塗料などでコーティングされ錆止め加工が施されている。そして、外部よりフェンス構成部材１４の中空部１６に水を供給することで、中空部１６内に水を流通させ貫通孔１８より外周面１７に吹き出させることができ、わざわざ濡れ雑巾を用意しなくてもフェンス構成部材１４を水拭きすることができる。
【００２１】
このようなフェンス１０は、図３に示すように、フェンス１０の上部を構成する水平部１４ａに布団Ｆを掛けて干すが、布団Ｆを干す前にフェンス構成部材１４に付着した粉塵や花粉などの汚れを取り除くため、雑巾などにより清掃する場合がある。
【００２２】
かかる場合において、本実施形態のフェンス１０では、フェンス構成部材１４同士を交叉させて接合した分岐点１４が存在することなく一筆書き状に設けられているため、雑巾などによりフェンス構成部材１４に沿って一度で拭くことができ、簡単に清掃することができる。しかも、フェンス構成部材１４同士の接合部分が存在しない粉塵や花粉などが溜まりにくい。
【００２３】
なお、本実施形態ではフェンス構成部材１４を１つの筒状体で構成したが、例えば、図４にしめすように、一対の支柱１２，１２の上部と連結され床面２０に沿って水平に延びる第１フェンス構成部材１４−１と、第１フェンス構成部材１４−１の下方において分岐点が存在することなく一筆書き状に上下に蛇行して設けられた第２フェンス構成部材１４−２と、の２つの筒状体でフェンス構成部材１４を設けてもよい。
【００２４】
また、図５に例示するように、一対の支柱１２，１２と接続された第１フェンス構成部材１４−３，１４−３の間に設けられた第２構成部材１４−４，１４−４を同一形状に屈曲させた筒状体で設けるなど、フェンス構成部材１４を複数のフェンス構成部材１４−３，１４−４，１４−４，１４−３より構成し、その一部又は全部を同一形状に屈曲されたフェンス構成部材１４−４，１４−４としてもよい。これにより、異なる幅の開口スペース２２にフェンス１０を設ける場合であってもフェンス構成部材１４を共通化することができ、フェンスの生産効率を向上させることができる。
【図面の簡単な説明】
【００２５】
【図１】本発明の第１実施形態に係るフェンスの正面図である。
【図２】図１のＡ−Ａ断面図である。
【図３】本発明の第１実施形態に係るフェンスの正面図であって布団を掛けた状態を示すである。
【図４】変更例１に係るフェンスの正面図である。
【図５】変更例２に係るフェンスの正面図である。
【図６】従来のフェンスの正面図であって布団を掛けた状態を示すである。
【符号の説明】
【００２６】
１０…フェンス
１２…支柱
１４…フェンス構成部材
１６…中空部
１８…貫通孔
２０…床面
２２…開口スペース
【図１】
0005198082.tif 000002
【図２】
0005198082.tif 000003
【図３】
0005198082.tif 000004
【図４】
0005198082.tif 000005
【図５】
0005198082.tif 000006
【図６】
0005198082.tif 000007